(57)【要約】【課題】毛が切断される領域がヘアカッタの移動方向に沿って連続するのを抑制することが可能なヘアカッタを得る。【解決手段】スキ部材として、櫛状刃５の往復動方向Ｗと略平行な回動軸Ａｘ回りに回動可能に設けられてその外周面６ｄに毛挿通部としての切欠６ｂが複数形成されたローラ６を設けた。よって、ローラ６を転動させながらヘアカッタ１を移動させることで、櫛状刃５の所定部分に対して、ローラ６は、毛を挿通できる姿勢と、毛を挿通できない姿勢とが入れ替わりながら対向することになる。【選択図】図１
2009232893.tif 000002
【特許請求の範囲】
【請求項１】
相対的に往復動する対をなす櫛状刃と、当該櫛状刃で切断する毛を挿通する毛挿通部が複数形成されたスキ部材と、を備えるヘアカッタにおいて、
前記スキ部材として、前記櫛状刃の往復動方向と略平行な回動軸回りに回動可能に設けられてその外周面に毛挿通部としての切欠が複数形成されたローラを備えることを特徴とするヘアカッタ。
【請求項２】
前記ローラの周方向における前記切欠の形成位置を、前記回動軸方向に沿って変化させたことを特徴とする請求項１に記載のヘアカッタ。
【請求項３】
前記回動軸方向に隣接して配置される前記切欠について、前記ローラの周方向における形成位置を相互に異ならせたことを特徴とする請求項２に記載のヘアカッタ。
【請求項４】
前記ローラに形成される複数の前記切欠についてローラの周方向に沿う開口長さを略一定に設定したことを特徴とする請求項１〜３のうちいずれか一つに記載のヘアカッタ。
【請求項５】
前記ローラの軸心位置に、前記回動軸方向の両端部間で直線状に連続する中実部を設けたことを特徴とする請求項１〜４のうちいずれか一つに記載のヘアカッタ。
【請求項６】
前記ローラをヘアカッタの本体部に着脱可能に取り付けたことを特徴とする請求項１〜５のうちいずれか一つに記載のヘアカッタ。
【請求項７】
前記ローラの前記櫛状刃に対する相対位置を調整可能な位置調整機構を設けたことを特徴とする請求項１〜６のうちいずれか一つに記載のヘアカッタ。
【請求項８】
相互に摺動する対をなす刃と、当該刃で切断する毛を挿通する毛挿通部が複数形成されたスキ部材と、を備えるスキ刈り機能付きヘアカッタにおいて、
前記スキ部材として、前記刃に対して間隙をあけた位置で回動軸回りに回動可能に設けられてその外周面に毛挿通部としての切欠が複数形成されたローラを備えることを特徴とするヘアカッタ。
【発明の詳細な説明】
【技術分野】
【０００１】
本発明は、スキ刈り機能を備えたヘアカッタに関する。
【背景技術】
【０００２】
従来のスキ刈り機能を備えたヘアカッタとして、特許文献１に開示される電動バリカンが知られている。特許文献１の電動バリカンでは、スキ刈り用のアタッチメントの櫛部間に形成されたスリット状の毛導入部から導入された毛をカットすることで、スキ刈りできるようになっている。
【特許文献１】実開昭６１−２６４７０号公報
【発明の開示】
【発明が解決しようとする課題】
【０００３】
しかしながら、上記特許文献１に開示されるヘアカッタにアタッチメントを取り付け、肌に沿って移動させてスキ刈りを行う場合、ヘアカッタの移動に伴って毛導入部が通過した領域では毛が切断され、櫛状部が通過した領域では毛が切断されないため、毛が、ヘアカッタの移動方向に沿う縞状に切断されてしまう虞があった。
【０００４】
そこで、本発明は、毛が切断される領域がヘアカッタの移動方向に沿って連続するのを抑制することが可能なヘアカッタを得ることを目的とする。
【課題を解決するための手段】
【０００５】
請求項１の発明にあっては、相対的に往復動する対をなす櫛状刃と、当該櫛状刃で切断する毛を挿通する毛挿通部が複数形成されたスキ部材と、を備えるヘアカッタにおいて、上記スキ部材として、上記櫛状刃の往復動方向と略平行な回動軸回りに回動可能に設けられてその外周面に毛挿通部としての切欠が複数形成されたローラを備えることを特徴とする。
【０００６】
請求項２の発明にあっては、上記ローラの周方向における上記切欠の形成位置を、上記回動軸方向に沿って変化させたことを特徴とする。
【０００７】
請求項３の発明にあっては、上記回動軸方向に隣接して配置される上記切欠について、上記ローラの周方向における形成位置を相互に異ならせたことを特徴とする。
【０００８】
請求項４の発明にあっては、上記ローラに形成される複数の上記切欠についてローラの周方向に沿う開口長さを略一定に設定したことを特徴とする。
【０００９】
請求項５の発明にあっては、上記ローラの軸心位置に、上記回動軸方向の両端部間で直線状に連続する中実部を設けたことを特徴とする。
【００１０】
請求項６の発明にあっては、上記ローラをヘアカッタの本体部に着脱可能に取り付けたことを特徴とする。
【００１１】
請求項７の発明にあっては、上記ローラの上記櫛状刃に対する相対位置を調整可能な位置調整機構を設けたことを特徴とする。
【００１２】
請求項８の発明にあっては、相互に摺動する対をなす刃と、当該刃で切断する毛を挿通する毛挿通部が複数形成されたスキ部材と、を備えるスキ刈り機能付きヘアカッタにおいて、上記スキ部材として、上記刃に対して間隙をあけた位置で回動軸回りに回動可能に設けられてその外周面に毛挿通部としての切欠が複数形成されたローラを備えることを特徴とする。
【発明の効果】
【００１３】
請求項１の発明によれば、外周面に毛挿通部としての切欠が形成されたローラを備えるため、ローラを転動させながらヘアカッタを移動させることで、櫛状刃の所定部分に対して、ローラは、毛を挿通できる姿勢と、毛を挿通できない姿勢とが入れ替わりながら対向することになる。したがって、毛が切断される領域がヘアカッタの移動方向に沿って連続するのを抑制することができる。
【００１４】
請求項２の発明によれば、ローラの周方向位置における切欠の形成位置を回動軸方向に沿って変化させることで、ヘアカッタによって処理を行った領域において、毛が切断された領域をより分散して配置することができる。
【００１５】
請求項３の発明によれば、回動軸方向に隣接して配置される切欠について、ローラの周方向における形成位置を相互に異ならせるようにしたため、ヘアカッタによって処理を行った領域において、その領域の幅方向に、毛が切断された領域が連なるのを、抑制することができる。
【００１６】
請求項４の発明によれば、ローラの周方向に沿う切欠の開口長さを、略一定としたため、ヘアカッタによって処理を行った領域において、その幅方向にカット率がばらつくのを抑制することができる。
【００１７】
請求項５の発明によれば、ローラの軸心位置に中実部を貫通させることによってローラの剛性を確保しやすくなる。
【００１８】
請求項６の発明によれば、ローラを本体部に対して着脱可能とすることで、スキ刈りを行わないときには、ローラを取り外して使用することができる。
【００１９】
請求項７の発明によれば、ローラの櫛状刃に対する相対位置を調整することで、毛の長さを適宜に調整することができる。
【００２０】
請求項８の発明によれば、外周面に毛挿通部としての切欠が形成されたローラを備えるため、ヘアカッタを移動させる際に、ローラを転動させることで、刃の所定部分に対して、毛挿通部が形成される部位（切欠形成部位）と、毛挿通部が形成されない部位（外周面）とを交互に対向させることができる。したがって、毛が切断される領域がヘアカッタの移動方向に沿って連続するのを抑制することができる。
【発明を実施するための最良の形態】
【００２１】
以下、本発明の一実施形態について図面を参照しながら詳細に説明する。図１は、本実施形態にかかるヘアカッタの斜視図、また、図２は、ヘアカッタからローラを取り外した状態を示す斜視図である。なお、各図中、本体部の長手方向をＬ、また、ヘアカッタの刃の往復動方向をＷと示す。また、以下では、便宜上、本体部の長手方向Ｌについて刃が形成される側を長手方向一方側と定義する。
【００２２】
まずは、ヘアカッタ１の全体的な構成について説明する。図１および図２に示すように、本実施形態にかかるヘアカッタ１は、一方向（長手方向Ｌ）に略沿って伸びる本体部２を備えている。本体部２の長手方向Ｌの中央部から他方側（図１，図２では下方）にかけては使用者が手で持つ把持部３となる。
【００２３】
本体部２の長手方向一方側（図１，図２では上側）の端部、すなわち先端部４の端縁４ｂには、相互に摺動する一対の刃（本実施形態では固定刃５ａおよび可動刃５ｂ、図７，図８参照）としての櫛状刃５が設けられている。本実施形態では、固定刃５ａおよび可動刃５ｂの鋸歯を、相互に重なりあう状態で、長手方向Ｌに直交する面（仮想平面）に沿う方向（＝往復動方向Ｗ）に沿って配列し、可動刃５ｂを、図示しない駆動機構を用いて、この方向に往復動させるようにしてある。この方向は、可動刃５ｂの往復動方向Ｗであり、かつ鋸歯の配列方向でもある。そして、かかる構成では、固定刃５ａの鋸歯と可動刃５ｂの鋸歯との間に挟まれた毛が剪断される。駆動機構の動作は、本体部２の長手方向Ｌの略中央部に設けられた操作スイッチ９によって切り替えられるようになっている。
【００２４】
また、本実施形態では、スキ部材として、その外周面６ｄに毛挿通部としての切欠６ｂが複数形成された略円柱状のローラ６を備えている。すなわち、ローラ６の切欠６ｂを挿通した毛のみが櫛状刃５によって切断されるようにしてある。
【００２５】
ローラ６は、本体部２に着脱可能かつ本体部２の長手方向Ｌに沿ってスライド可能なスライドアタッチメント７に、回動可能に支持されている。スライドアタッチメント７は、本体部２の先端部４の側面４ａを取り囲む環状の基台部７ａと、基台部７ａの相互に対向する一対の側面から長手方向Ｌの一方側に向けて突出する細長い一対のアーム部７ｂ，７ｂと、を備えており、これら一対のアーム部７ｂ，７ｂの先端部間に、ローラ６が架設されている。ローラ６の回動軸Ａｘは、可動刃５ｂの鋸歯の配列方向、すなわち可動刃５ｂの往復動方向Ｗと略平行に設定されている。また、ローラ６は、櫛状刃５の刃先に対して適宜な間隙をもって（少なくとも可動刃５ｂとは非接触となる位置に）配置されている。
【００２６】
また、このヘアカッタ１には、ローラ６の櫛状刃５に対する相対位置を調整可能な位置調整機構８を設けてある。
【００２７】
本実施形態では、図１に示すように、スライドアタッチメント７の基台部７ａの側面を長手方向Ｌの一方側に向けて開く略Ｕ字状にくり抜いて弾性的に撓むアーム部８ａを形成し、このアーム部８ａの長手方向先端部に本体部２側に向けて突出する爪部８ｂを形成してある。この爪部８ｂは、長手方向Ｌに対して直交する方向に伸びる突条として形成してある。
【００２８】
一方、本体部２の先端部４の側面４ａには、長手方向Ｌに沿って一定のピッチで配置された複数の凹部８ｄを含む凹凸部８ｃが設けられている。この凹部８ｄは爪部８ｂが嵌合（係合）する形状にしてある。
【００２９】
したがって、爪部８ｂを嵌合する凹部８ｄを変更することで、本体部２に対するスライドアタッチメント７の長手方向Ｌに沿う位置を段階的に変化させ、以て、ローラ６の櫛状刃５に対する相対位置（間隙）を調整することができる。なお、爪部８ｂと凹部８ｄとの係合は、スライドアタッチメント７に対して長手方向Ｌの力を加えることで、解除することができる。
【００３０】
さらに、スライドアタッチメント７を長手方向Ｌの一方側に強く引くことで、本体部２から取り外すことができるようになっている。したがって、スキ刈りを行わない場合には、ローラ６を除去し、櫛状刃５で直接的に処理を行うことができる。
【００３１】
次に、スキ部材としてのローラ６の詳細な構成ならびに作用について説明する。図３は、ヘアカッタの先端部分を示す側面図、図４は、図３のIV−IV断面図、図５は、図３のV−V断面図、また、図６はローラの斜視図である。
【００３２】
ローラ６は、略円柱状の本体部６ａを備えている。また、本実施形態では、本体部６ａの軸方向両端部には中心軸（回動軸Ａｘ）に沿って軸部６ｅ，６ｅが突設されており、この軸部６ｅ，６ｅがスライドアタッチメント７に形成されたすべり軸受として機能する凹部あるいは貫通孔（図示せず）に緩挿されることによって、ローラ６がスライドアタッチメント７に回動可能に支持される。かかる構成により、ローラ６は、本体部２に対して回動軸Ａｘ回りに回動可能に設けられている。
【００３３】
このローラ６には、毛挿通部としての切欠６ｂが回動軸Ａｘに沿って一定のピッチで複数形成されている。本実施形態では、切欠６ｂは、全て同じ形状としてあり、いずれも、ローラ６の本体部６ａの外周面６ｄから回動軸Ａｘと略直交する方向に沿って半月状に比較的薄く切り込まれたスリット状に形成されている。また、本実施形態では、図４および図５に示すように、回動軸Ａｘを含んで直線状に延びる障壁部６ｃを挟んで一対の切欠６ｂ，６ｂが形成されている。
【００３４】
また、本実施形態では、ローラ６の周方向における切欠６ｂの形成位置を、回動軸Ａｘに沿う方向に沿って変化させている。すなわち、図３および図６から明らかとなるように、本実施形態にかかるローラ６では、図４に示すように切欠６ｂ１，６ｂ１を設けた部位と、図５に示すように切欠６ｂ２，６ｂ２を設けた部位とを、回動軸Ａｘに沿って交互に配置してある。図４に示す部位と図５に示す部位とでは、切欠６ｂの形成位置が、周方向（外周面６ｄに沿う方向）における切欠６ｂの形成位置が相互に９０°ずれていることが容易に理解できよう。そして、回動軸Ａｘに沿って隣接して配置される切欠６ｂ１，６ｂ２の形成位置が相違していることも理解できよう。
【００３５】
また、本実施形態では、図４に示す部位と、図５に示す部位とで、切欠６ｂのローラ６の周方向に沿う開口長さを同じに設定してある。すなわち、図４に示す部位では、切欠６ｂ１，６ｂ１の周方向の開口長さは、（Ｌｂ１ａ）＋（Ｌｂ１ｂ）となるが、上述したように、本実施形態にかかるローラ６では、全ての切欠６ｂを同一形状としてあるため、この部位での開口長さは２＊（Ｌｂ１ａ）となる。一方、図５に示す部位では、切欠６ｂ２，６ｂ２の形成位置が図４に示す部位とは異なるものの、切欠６ｂの形状は同一であるから、切欠６ｂ２，６ｂ２の開口長さは（Ｌｂ２ａ）＋（Ｌｂ２ｂ）であり、すなわち２＊（Ｌｂ１ａ）となる。
【００３６】
また、本実施形態では、図４に示す部位、図５に示す部位ともに、回動軸Ａｘの近傍位置には切欠６ｂが形成されていない。すなわち、本実施形態にかかるローラ６は、その軸心位置に、回動軸Ａｘに沿う方向の両端部間で直線状に連続する中実部６ｆを有している。
【００３７】
次に、上記構成のヘアカッタ１の作用について説明する。図７は、ローラの図３のIV−IV断面の部位が肌に当接している状態を示す模式図、図８は、図７と同じタイミングでローラの図３のV−V断面の部位が肌に当接している状態を示す模式図である。
【００３８】
図７および図８に示すように、本実施形態にかかるヘアカッタ１は、ローラ６を肌Ｓに当接させた状態で使用する。ヘアカッタ１を肌Ｓに沿って図中左方向に動かすにしたがって、ローラ６は、図中反時計回り方向（矢印Ｒ方向）に転動することになる。
【００３９】
図７に示すように、障壁部６ｃが肌Ｓと略平行に配置された姿勢では、切欠６ｂ１（６ｂ）内に入り込んだ毛Ｈは障壁部６ｃが障壁となって、櫛状刃５に到達することができない。したがって、肌Ｓのうち、この姿勢で当接した領域では、毛は切断されない。
【００４０】
他方、図８に示すように、障壁部６ｃが肌Ｓと略垂直に配置された姿勢では、切欠６ｂ２（６ｂ）内に入り込んだ毛Ｈは、当該切欠６ｂ２（６ｂ）を挿通して櫛状刃５に到達することができる。したがって、肌Ｓのうち、この姿勢で当接した領域では、毛は切断される。
【００４１】
上述したように、ローラ６は転動しているため、図７に示した図４のIV−IV断面の部位は、９０°転動すると図８と同じ姿勢となり、図８に示した図４のV−V断面の部位は、９０°転動すると図７と同じ姿勢となる。
【００４２】
ローラ６を肌Ｓに当接させて転動させながらヘアカッタ１を肌Ｓに沿って動かした場合、肌Ｓ（肌Ｓにおける毛Ｈが生えた領域）におけるヘアカッタ１による処理領域は、ローラ６両端間長さの幅を持つ帯状の領域となる。
【００４３】
上記構成により、この処理領域では、その幅方向（すなわちローラ６の回動軸Ａｘに沿う方向）に沿って、毛Ｈが切断される領域と毛Ｈが切断されない領域とが交互に配置され、さらに、処理領域の長手方向（すなわちローラ６を転動させた方向）に沿って、毛Ｈが切断される領域と毛Ｈが切断されない領域とが交互に配置されることになる。すなわち、本実施形態にかかるヘアカッタ１によれば、従来装置のように毛が縞状に切断されるのではなく、肌Ｓの処理領域内で、毛Ｈが切断された領域が、千鳥格子状に配置されることになる。
【００４４】
以上説明したように、本実施形態では、スキ部材として、櫛状刃５の往復動方向Ｗと略平行な回動軸Ａｘ回りに回動可能に設けられてその外周面６ｄに毛挿通部としての切欠６ｂが複数形成されたローラ６を設けた。よって、ローラ６を転動させながらヘアカッタ１を移動させることで、櫛状刃５の所定部分に対して、ローラ６は、毛を挿通できる姿勢と、毛を挿通できない姿勢とが入れ替わりながら対向することになる。したがって、毛が切断される領域がヘアカッタ１の移動方向に沿って連続するのを抑制することができる。
【００４５】
また、本実施形態では、ローラ６の周方向における切欠６ｂの形成位置を、回動軸Ａｘに沿う方向に沿って変化させた。したがって、肌のヘアカッタ１による処理領域において、毛が切断された領域をより分散して配置することができる。
【００４６】
また、本実施形態では、回動軸Ａｘに沿う方向に隣接して配置される切欠６ｂ，６ｂについて、ローラ６の周方向における形成位置を相互に異ならせた。このため、ヘアカッタ１によって処理を行った領域において、その領域の幅方向に、毛が切断された領域が連なるのを、抑制することができる。
【００４７】
また、本実施形態では、ローラ６に形成される複数の切欠６ｂについてローラ６の周方向に沿う開口長さを略一定に設定した。肌の処理領域において、毛が切断される領域のヘアカッタ１の移動方向に沿う長さは、切欠６ｂの開口長さに応じて長くなる。よって、かかる構成とすることで、複数の切欠６ｂについて、ローラ６の周方向に沿う開口長さを略一定に設定することで、当該処理領域内で毛のカット率がばらつくのを抑制することができる。
【００４８】
また、本実施形態では、ローラ６の軸心位置に、回動軸Ａｘに沿う方向の両端部間で直線状に連続する中実部６ｆを設けた。ローラ６の軸心位置に中実部６ｆを貫通させることによってローラ６の剛性を確保しやすくなる。したがって、ローラ６の耐久性を向上することができる。なお、中実部６ｆの径等によってローラ６の弾性を適宜に調整し、肌に対する追従性を高めることもできる。
【００４９】
また、本実施形態では、ローラ６をヘアカッタ１の本体部２に着脱可能に取り付けた。このため、スキ刈りを行わないときには、ローラ６を取り外して使用することができる。
【００５０】
また、本実施形態では、ローラ６の櫛状刃５に対する相対位置を調整可能な位置調整機構８を設けた。よって、毛の長さを適宜に調整することができる。
【００５１】
以上、本発明の好適な実施形態について説明したが、本発明は上記実施形態には限定されず、種々の変形が可能である。例えば、図９に示す変形例にかかるヘアカッタ１Ａのように、ローラ６を本体部２に対して着脱可能とせず、回動可能に取り付けてもよい。この変形例では、ローラ６を、先端部４から延びる一対のアーム４ｃ，４ｃ間に架設してある。
【００５２】
また、ローラの形状や、配置、切欠の形状等は適宜に変更することができる。例えば、図１０のローラ６Ｂのように、切欠６ｂをランダムに配置してもよい。ただし、この場合においても、各切欠６ｂの周方向に沿う開口長さは略一定としておくのが好適である。このローラ６Ｂを、上記実施形態あるいは変形例にかかるヘアカッタ１に置換して使用できることは言うまでもない。
【００５３】
また、モータやその他の駆動機構を設けて、ローラを回転駆動してもよい。
【００５４】
また、例えば、上記実施形態にかかるヘアカッタは、電動バリカンや、髭を調整する髭トリマ装置、シェーバーの他、種々の装置として実施することができる。
【図面の簡単な説明】
【００５５】
【図１】本発明の一実施形態にかかるヘアカッタの斜視図である。
【図２】本発明の一実施形態にかかるヘアカッタからローラを取り外した状態を示す斜視図である。
【図３】本発明の一実施形態にかかるヘアカッタの先端部分を示す側面図である。
【図４】図３のIV−IV断面図である。
【図５】図３のV−V断面図である。
【図６】本発明の一実施形態にかかるヘアカッタに含まれるローラの斜視図である。
【図７】本発明の一実施形態にかかるヘアカッタに含まれるローラの図３のIV−IV断面の部位が肌に当接している状態を示す模式図である。
【図８】本発明の一実施形態にかかるヘアカッタに含まれるローラの図３のV−V断面の部位が肌に当接している状態を示す模式図である。
【図９】本発明の一実施形態の変形例にかかるヘアカッタの斜視図である。
【図１０】本発明の一実施形態のヘアカッタに含まれるローラの変形例を示す斜視図である。
【符号の説明】
【００５６】
１，１Ａ  ヘアカッタ
２  本体部
４  先端部
５  櫛状刃
６，６Ｂ  ローラ
６ａ  本体部
６ｂ，６ｂ１，６ｂ２  切欠
６ｄ  外周面
６ｆ  中実部
８  位置調整機構
９  操作スイッチ
Ａｘ  回動軸
Ｈ  毛
Ｌ  長手方向
Ｓ  肌
Ｗ  往復動方向
【図１】
2009232893.tif 000003
【図２】
2009232893.tif 000004
【図３】
2009232893.tif 000005
【図４】
2009232893.tif 000006
【図５】
2009232893.tif 000007
【図６】
2009232893.tif 000008
【図７】
2009232893.tif 000009
【図８】
2009232893.tif 000010
【図９】
2009232893.tif 000011
【図１０】
2009232893.tif 000012